(57)【要約】【課題】  掌で用具を保持し、操作するときに、僅かな衝撃により、用具と指・掌の間に隙間が生じ、用具を正確に操作することが困難になるという不都合を解決すること。また、握力が弱い場合や、長時間用具や荷物を持つ場合に指にかかる負担が大きくなりそれらを保持できなるという不都合を解決すること。【解決手段】  手首に固定するためのバンドから伸びた布状の部分が、手の甲を覆い、人差指、中指、薬指、小指にあたる各部分にあけた孔からそれぞれの指を出し、掌側にでた部分で、用具を巻きつけること、または、包み込み折り返し手首に固定することにより、人差指、中指、薬指、小指のつけ根部分に用具を適度に密着させることができ、保持した用具の荷重を手の甲や手首に分散させることができる。【選択図】図６
2009050667.tif 000002
【特許請求の範囲】
【請求項１】
手首に固定したバンドから伸びた布状の部分が、手の甲を覆い、人差指、中指、薬指、小指にあたる各部分にあけた孔からそれぞれの指を出し、掌側にでた部分で、用具を巻きつけることにより、人差指、中指、薬指、小指のつけ根部分に用具を適度に密着させることができるパワーグリップ握力補助具（図１）。
【請求項２】
手首に固定したバンドから伸びた布状の部分が、手の甲を覆い、人差指、中指、薬指、小指にあたる各部分にあけた孔からそれぞれの指を出し、掌側にでた部分で用具を包み込み、各指のつけ根部分に用具を適度に密着させ、折り返し、人差指、中指、薬指、小指にあたる各部分にあけた孔からそれぞれの指を出し、手の甲と手首に折り返した布状の部分を固定することを特徴とするパワーグリップ握力補助具（図２）。
【発明の詳細な説明】
【技術分野】
【０００１】  本発明は、用具や荷物を掌で保持し操作する場合において、それらを指のつけ根部分に適度に密着させ、それらの荷重を手首や手の甲に分散させることにより、優れた操作性と指にかかる荷重を軽減することを目的としたパワーグリップ握力補助具に関するものである。
【背景技術】
【０００２】  従来、握力を補助する手袋や器具としては、ゴルフクラブを握る際の握力を補助する手袋（特開２０００−２７１２６０号）や野球のバットを握る際の手袋（特開平１１−５７１０７号）、筋肉が衰えた高齢者や女性向けの握力補助具（特開２００２−２２７０１５号）などが考案されている。
【発明の開示】
【発明が解決しようとする課題】
【０００３】  ゴルフや野球用の従来の手袋の場合は、手の滑りを適当に止めることができるので素手の場合に比べて安定したグリップ力が維持できる利点がある。しかし、用具と人差指、中指、薬指、小指のつけ根との密着が不十分であるため、ボールを打った衝撃により、指と用具が離れ、正確な操作に支障をきたすことがあった。また、用具と掌、指の隙間によって、パワーがうまく伝わらないことが多かった。【０００４】  一方、（特開２００２−２２７０１５号）の握力補助具の場合は、用具を持つ掌の形に成形した製品であるため、日常的な使用には限界がある。【０００５】  従来の手袋、握力補助具のいずれの場合も長時間使用すると掌からの発汗により、快適な使用感が減退していく。また、これらの手袋や握力補助具は使用競技や使用場面が限られており、さまざまな場面で手軽に利用することに限界があった。
【課題を解決するための手段】
【０００６】  手首に固定するためのバンドから伸びた布状の部分が、手の甲を覆い、人差指、中指、薬指、小指にあたる各部分にあけた孔からそれぞれの指を出し、掌側にでた部分で、用具を巻きつけること、または、包み込み折り返し手首に固定することにより、人差指、中指、薬指、小指のつけ根部分に用具を適度に密着させることができ、保持した用具の荷重を手の甲や手首に分散させることができる。
【発明の効果】
【０００７】  使用する用具を正確に操作するためには人差指、中指、薬指、小指と用具との密着度が大きく影響してくる。従来型の手袋では指と用具との密着が不十分であったが、本器具では適度な密着を保ったまま、用具を長時間容易に保持できるため、用具の操作性も向上し、用具に伝わるパワーのロスも減る。その上、請求項２の形態の器具を用いることにより荷物を掌で保持する場合においては、手首や手の甲などにその荷重を分散でき、握力が弱い場合でも長時間、楽に活動できる。請求項１および２の両器具とも、従来の手袋のように手全体が布や皮で覆われていないため、汗によるずれや不快な使用感もない。また、両器具とも加工することが容易であり、スポーツ分野から日常生活まで幅広い分野で活用できる。
【発明を実施するための最良の形態】
【０００８】  請求項１の器具の場合は、手首に固定するためバンドの甲側に、適度な伸縮性と用具の太さにあった十分な長さの布状の部分を面ファスナーなどで固定する。人差指、中指、薬指、小指にあたる部分にある孔から各指を出し、掌側に出た布状の用具に接触する部分には滑り止めの加工を施し、掌側にはふくらみを持たせるか、隙間パッド（８）のようなものをあて掌と器具との隙間を少なくする。【０００９】  請求項２の器具の場合は、掌側に出た布状の部分を折り返し、使用する用具を包み、人差指、中指、薬指、小指にあたる部分にある孔から各指を出し、手首や甲に固定する。
【実施例】
【００１０】  棒状の用具をすぐに離さなければならない場合（野球やソフトボールのバットを握る場合など）は請求項１の器具の形態をとり、掌側に出た布状の部分で、バットなどの用具を巻きつけ、４本の指のつけ根部分に密着させる。掌を開いたら用具は手から離れる。（図４）【００１１】  掌で長時間保持し続ける場合（スキーのストック、釣竿、買い物袋などを持つ場合）は掌側に出た布状の部分を折り返し、保持するものを包み、各指にあたる部分にある孔から指を出し、手の甲や手首に面ファスナーなどで固定する。（図６）【００１２】  テニスのラケットやゴルフのクラブなどを握る場合はそれぞれにあった器具を使用する。
【産業上の利用可能性】
【００１３】  本発明に係わるパワーアップ握力補助具は、加工も簡単であり、工業的に量産することが可能であるため、産業上の利用可能性を有する。
【図面の簡単な説明】
【００１４】
【図１】請求項１のパワーグリップ握力補助具全体図
【図２】請求項２のパワーグリップ握力補助具全体図
【図３】請求項１のパワーグリップ握力補助具を右手に装着した図（手の甲側）
【図４】請求項１のパワーグリップ握力補助具を右手に装着した図（掌側）
【図５】請求項２のパワーグリップ握力補助具を右手に装着した図（掌側）
【図６】請求項２のパワーグリップ握力補助具を右手に装着し、棒状の用具を指のつけ根に密着させた図
【図７】請求項１あるいは２のパワーグリップ握力補助具で用具を指のつけ根に密着させ、隙間パッド（８）を装着した図
【符号の説明】
【００１５】１    手首に固定するためのバンド
２    指を出す孔
３ａ  面ファスナー
３ｂ  面ファスナー
３ｃ  面ファスナー
３ｄ  面ファスナー
４    手首に固定するためのバンド
５    指を出す孔
６    指を出す孔
７ａ  面ファスナー
７ｂ  面ファスナー
７ｃ  面ファスナー
７ｄ  面ファスナー
７ｅ  面ファスナー
８    隙間パッド
【図１】
2009050667.tif 000003
【図２】
2009050667.tif 000004
【図３】
2009050667.tif 000005
【図４】
2009050667.tif 000006
【図５】
2009050667.tif 000007
【図６】
2009050667.tif 000008
【図７】
2009050667.tif 000009